(57)【要約】    【課題】  用紙コストの削減を図る。    【解決手段】  プリンタ部２および複数の画像データを保持するサーバ（ＰＣ／ＷＳ１１）と接続され、ユーザからの入力操作を受け付ける操作部を備えた画像処理装置（リーダ部１）において、プリンタ部２が両面印刷機能を備えているか否かを検出し、この検出結果に応じて、操作部を介してユーザから指定された画像データをサーバから取得し、該取得された画像データを、プリンタ部２に転送する。【選択図】      図１
2005128768.tif 000002
【特許請求の範囲】
【請求項１】
用紙上に画像を形成する少なくとも１つの画像形成装置、および複数の画像データを保持するサーバと接続され、ユーザからの入力操作を受け付ける操作部を備えた画像処理装置において、
前記少なくとも１つの画像形成装置が両面印刷機能を備えているか否かを検出する検出手段と、
前記検出手段によって検出された検出結果に応じて、前記操作部を介してユーザから指定された画像データを前記サーバから取得する取得手段と、
前記取得手段によって取得された画像データを、前記検出手段による検出対象の画像形成装置に転送する転送手段と
を有することを特徴とする画像処理装置。
【請求項２】
前記少なくとも１つの画像形成装置および前記サーバのうち少なくとも一方は、前記画像処理装置と通信手段によって接続されることを特徴とする請求項１記載の画像処理装置。
【請求項３】
前記操作部は表示装置を備え、該表示装置は、前記サーバが保持する複数の画像データの一覧表を表示し、該一覧表の中からユーザが所望の画像データを指定することにより、前記取得手段による取得対象の画像データが決定されることを特徴とする請求項１記載の画像処理装置。
【請求項４】
前記転送手段は、前記操作部を介してユーザから指定された印刷部数の情報を、前記画像データとともに前記画像形成装置に転送することを特徴とする請求項１記載の画像処理装置。
【請求項５】
前記取得手段は、前記検出手段によって両面印刷機能を備えている旨が検出された場合、前記操作部を介してユーザから両面印刷を指定されているならば、前記指定された画像データのうち両面印刷用の画像データを前記サーバから取得することを特徴とする請求項１記載の画像処理装置。
【請求項６】
前記取得手段は、前記検出手段によって両面印刷機能を備えていない旨が検出された場合、および／または前記操作部を介してユーザから片面印刷を指定されているならば、前記指定された画像データのうち片面印刷用の画像データを前記サーバから取得することを特徴とする請求項５記載の画像処理装置。
【請求項７】
用紙上に画像を形成する少なくとも１つの画像形成装置、および複数の画像データを保持するサーバと接続され、ユーザからの入力操作を受け付ける操作部を備えた画像処理装置において、
前記少なくとも１つの画像形成装置が両面印刷機能を備えているか否かを検出する検出手段と、
前記操作部を介してユーザから指定された画像データを前記サーバから取得する取得手段と、
前記取得手段によって取得された画像データを、前記検出手段によって検出された検出結果に応じて変換し、前記検出手段による検出対象の画像形成装置に転送する転送手段と
を有することを特徴とする画像処理装置。
【請求項８】
前記取得手段は、前記指定された画像データのうち片面印刷用の画像データを前記サーバから取得し、
前記検出手段によって両面印刷機能を備えている旨が検出された場合、前記転送手段は、前記取得手段によって取得された片面印刷用の画像データを両面印刷用の画像データに変換して、前記検出手段による検出対象の画像形成装置に転送することを特徴とする請求項７記載の画像処理装置。
【請求項９】
前記取得手段が前記サーバから取得する画像データはページ記述言語で構成され、
前記転送手段は、ページ記述言語で構成された画像データの中の片面印刷指定を両面印刷指定に変換することを特徴とする請求項８記載の画像処理装置。
【請求項１０】
前記検出手段は、前記画像処理装置の環境設定機能により前記画像処理装置に設定されている内容を認識することによって、前記少なくとも１つの画像形成装置が両面印刷機能を備えているか否かを検出することを特徴とする請求項１または請求項８記載の画像処理装置。
【請求項１１】
前記検出手段は、前記画像処理装置が前記少なくとも１つの画像形成装置と通信を行うことによって得られた情報に基づいて、前記少なくとも１つの画像形成装置が両面印刷機能を備えているか否かを検出することを特徴とする請求項１または請求項８記載の画像処理装置。
【請求項１２】
用紙上に画像を形成する少なくとも１つの画像形成装置、および複数の画像データを保持するサーバと接続され、ユーザからの入力操作を受け付ける操作部を備えた画像処理装置に適用される画像データ取得転送方法において、
前記少なくとも１つの画像形成装置が両面印刷機能を備えているか否かを検出する検出ステップと、
前記検出ステップによって検出された検出結果に応じて、前記操作部を介してユーザから指定された画像データを前記サーバから取得する取得ステップと、
前記取得ステップによって取得された画像データを、前記検出ステップでの検出対象の画像形成装置に転送する転送ステップと
を有することを特徴とする画像データ取得転送方法。
【請求項１３】
前記転送ステップは、前記操作部を介してユーザから指定された印刷部数の情報を、前記画像データとともに前記画像形成装置に転送することを特徴とする請求項１２記載の画像データ取得転送方法。
【請求項１４】
前記取得ステップは、前記検出ステップによって両面印刷機能を備えている旨が検出された場合、前記操作部を介してユーザから両面印刷を指定されているならば、前記指定された画像データのうち両面印刷用の画像データを前記サーバから取得することを特徴とする請求項１２記載の画像データ取得転送方法。
【請求項１５】
用紙上に画像を形成する少なくとも１つの画像形成装置、および複数の画像データを保持するサーバと接続され、ユーザからの入力操作を受け付ける操作部を備えた画像処理装置に適用される画像データ取得転送方法において、
前記少なくとも１つの画像形成装置が両面印刷機能を備えているか否かを検出する検出ステップと、
前記操作部を介してユーザから指定された画像データを前記サーバから取得する取得ステップと、
前記取得ステップによって取得された画像データを、前記検出ステップによって検出された検出結果に応じて変換し、前記検出ステップでの検出対象の画像形成装置に転送する転送ステップと
を有することを特徴とする画像データ取得転送方法。
【請求項１６】
前記取得ステップは、前記指定された画像データのうち片面印刷用の画像データを前記サーバから取得し、
前記検出ステップによって両面印刷機能を備えている旨が検出された場合、前記転送ステップは、前記取得ステップによって取得された片面印刷用の画像データを両面印刷用の画像データに変換して、前記検出ステップでの検出対象の画像形成装置に転送することを特徴とする請求項１５記載の画像データ取得転送方法。
【請求項１７】
前記取得ステップにおいて前記サーバから取得する画像データはページ記述言語で構成され、
前記転送ステップは、ページ記述言語で構成された画像データの中の片面印刷指定を両面印刷指定に変換することを特徴とする請求項１６記載の画像データ取得転送方法。
【請求項１８】
用紙上に画像を形成する少なくとも１つの画像形成装置、および複数の画像データを保持するサーバと接続され、ユーザからの入力操作を受け付ける操作部を備えた画像処理装置に適用される画像データ取得転送方法を、コンピュータに実行させるためのプログラムにおいて、
前記少なくとも１つの画像形成装置が両面印刷機能を備えているか否かを検出する検出ステップと、
前記検出ステップによって検出された検出結果に応じて、前記操作部を介してユーザから指定された画像データを前記サーバから取得する取得ステップと、
前記取得ステップによって取得された画像データを、前記検出ステップでの検出対象の画像形成装置に転送する転送ステップと
を有することを特徴とするプログラム。
【請求項１９】
用紙上に画像を形成する少なくとも１つの画像形成装置、および複数の画像データを保持するサーバと接続され、ユーザからの入力操作を受け付ける操作部を備えた画像処理装置に適用される画像データ取得転送方法を、コンピュータに実行させるためのプログラムにおいて、
前記少なくとも１つの画像形成装置が両面印刷機能を備えているか否かを検出する検出ステップと、
前記操作部を介してユーザから指定された画像データを前記サーバから取得する取得ステップと、
前記取得ステップによって取得された画像データを、前記検出ステップによって検出された検出結果に応じて変換し、前記検出ステップでの検出対象の画像形成装置に転送する転送ステップと
を有することを特徴とするプログラム。
【請求項２０】
用紙上に画像を形成する少なくとも１つの画像形成装置、および複数の画像データを保持するサーバと接続され、ユーザからの入力操作を受け付ける操作部を備えた画像処理装置に適用される画像データ取得転送方法をプログラムとして記憶した、コンピュータにより読み出し可能な記憶媒体において、前記プログラムが、
前記少なくとも１つの画像形成装置が両面印刷機能を備えているか否かを検出する検出ステップと、
前記検出ステップによって検出された検出結果に応じて、前記操作部を介してユーザから指定された画像データを前記サーバから取得する取得ステップと、
前記取得ステップによって取得された画像データを、前記検出ステップでの検出対象の画像形成装置に転送する転送ステップと
を有することを特徴とする記憶媒体。
【請求項２１】
用紙上に画像を形成する少なくとも１つの画像形成装置、および複数の画像データを保持するサーバと接続され、ユーザからの入力操作を受け付ける操作部を備えた画像処理装置に適用される画像データ取得転送方法をプログラムとして記憶した、コンピュータにより読み出し可能な記憶媒体において、前記プログラムが、
前記少なくとも１つの画像形成装置が両面印刷機能を備えているか否かを検出する検出ステップと、
前記操作部を介してユーザから指定された画像データを前記サーバから取得する取得ステップと、
前記取得ステップによって取得された画像データを、前記検出ステップによって検出された検出結果に応じて変換し、前記検出ステップでの検出対象の画像形成装置に転送する転送ステップと
を有することを特徴とする記憶媒体。
【発明の詳細な説明】
【技術分野】
【０００１】
本発明は、画像処理装置、画像データ取得転送方法、プログラム、及び記憶媒体に関し、特に、用紙上に画像を形成する少なくとも１つの画像形成装置、および複数の画像データを保持するサーバと接続され、ユーザからの入力操作を受け付ける操作部を備えた画像処理装置、該画像処理装置に適用される画像データ取得転送方法、該画像データ取得転送方法をコンピュータに実行させるためのプログラム、及び該プログラムを記憶した記憶媒体に関する。
【背景技術】
【０００２】
従来、画像を形成するためのデータを複数、サーバに蓄えておき、必要に応じてサーバから所定のデータを読み出して画像形成装置に印字させるようにした画像形成システムが存在する（例えば特許文献１、特許文献２参照）。
【特許文献１】特開２００２−１３２６３６号公報
【特許文献２】特開２００３−３００９６号公報
【発明の開示】
【発明が解決しようとする課題】
【０００３】
しかしながら、上記従来の画像形成システムにおける画像形成装置では、サーバから読み出されたデータに基づいて、一律に片面印字が行われるようになっている。
【０００４】
一方、画像形成装置によっては、画像形成装置が両面印字機能を内蔵しているものもあり、こうした両面印字機能を内蔵している画像形成装置に対しても一律に片面印字を行わせたのでは、用紙コストがかかり、省資源の観点から好ましいことではなかった。
【０００５】
本発明はこのような問題点に鑑みてなされたものであって、用紙コストの削減を図った画像処理装置、画像データ取得転送方法、プログラム、及び記憶媒体を提供することを目的とする。
【課題を解決するための手段】
【０００６】
上記目的を達成するために、請求項１記載の発明によれば、用紙上に画像を形成する少なくとも１つの画像形成装置、および複数の画像データを保持するサーバと接続され、ユーザからの入力操作を受け付ける操作部を備えた画像処理装置において、前記少なくとも１つの画像形成装置が両面印刷機能を備えているか否かを検出する検出手段と、前記検出手段によって検出された検出結果に応じて、前記操作部を介してユーザから指定された画像データを前記サーバから取得する取得手段と、前記取得手段によって取得された画像データを、前記検出手段による検出対象の画像形成装置に転送する転送手段とを有することを特徴とする画像処理装置が提供される。
【０００７】
また、請求項７記載の発明によれば、用紙上に画像を形成する少なくとも１つの画像形成装置、および複数の画像データを保持するサーバと接続され、ユーザからの入力操作を受け付ける操作部を備えた画像処理装置において、前記少なくとも１つの画像形成装置が両面印刷機能を備えているか否かを検出する検出手段と、前記操作部を介してユーザから指定された画像データを前記サーバから取得する取得手段と、前記取得手段によって取得された画像データを、前記検出手段によって検出された検出結果に応じて変換し、前記検出手段による検出対象の画像形成装置に転送する転送手段とを有することを特徴とする画像処理装置が提供される。
【０００８】
また、請求項１２記載の発明によれば、用紙上に画像を形成する少なくとも１つの画像形成装置、および複数の画像データを保持するサーバと接続され、ユーザからの入力操作を受け付ける操作部を備えた画像処理装置に適用される画像データ取得転送方法において、前記少なくとも１つの画像形成装置が両面印刷機能を備えているか否かを検出する検出ステップと、前記検出ステップによって検出された検出結果に応じて、前記操作部を介してユーザから指定された画像データを前記サーバから取得する取得ステップと、前記取得ステップによって取得された画像データを、前記検出ステップでの検出対象の画像形成装置に転送する転送ステップとを有することを特徴とする画像データ取得転送方法が提供される。
【０００９】
さらに、請求項１５記載の発明によれば、用紙上に画像を形成する少なくとも１つの画像形成装置、および複数の画像データを保持するサーバと接続され、ユーザからの入力操作を受け付ける操作部を備えた画像処理装置に適用される画像データ取得転送方法において、前記少なくとも１つの画像形成装置が両面印刷機能を備えているか否かを検出する検出ステップと、前記操作部を介してユーザから指定された画像データを前記サーバから取得する取得ステップと、前記取得ステップによって取得された画像データを、前記検出ステップによって検出された検出結果に応じて変換し、前記検出ステップでの検出対象の画像形成装置に転送する転送ステップとを有することを特徴とする画像データ取得転送方法が提供される。
【００１０】
さらに、上記画像データ取得転送方法をコンピュータに実行させるためのプログラム、及び上記画像データ取得転送方法をプログラムとして記憶した、コンピュータにより読み出し可能な記憶媒体が提供される。
【発明の効果】
【００１１】
以上詳述したように本発明によれば、接続されている画像形成装置が両面印刷機能を備えているか否かを判定し、両面印刷機能を利用可能な場合には、ユーザによって両面印刷または片面印刷を選択することを可能にし、両面印刷が選択された場合は、画像形成装置に両面印刷機能を用いて印刷を行わせ、片面印刷が選択された場合は、画像形成装置に片面印刷機能を用いて印刷を行わせる。
【００１２】
これにより、ユーザが所望する印刷形態で印刷が行われるとともに、両面印刷が選択された場合は、用紙コストを削減することが可能となる。
【００１３】
また、複数の画像形成装置を接続する場合には、出力対象の画像形成装置が両面印刷機能を備えているか否かに応じて、該画像形成装置に最適の印刷形態をとることが可能となる。
【発明を実施するための最良の形態】
【００１４】
以下、本発明の実施の形態を、図面を参照して説明する。
【００１５】
［第１の実施の形態］
図１は、本発明に係る画像処理装置の第１の実施の形態の構成を示すブロック図である。
【００１６】
本画像処理装置は、リーダ部１、プリンタ部２及び画像入出力制御部３から構成される。リーダ部１は、原稿の画像を読み取り、その結果得られた画像データをプリンタ部２及び画像入出力制御部３へ出力する。プリンタ部２は、リーダ部１及び画像入出力制御部３から送られた画像データに応じて画像形成を行い、画像を記録紙上に記録する。画像入出力制御部３は、リーダ部１に接続されており、ファクシミリ部４、ファイル部５、コンピュータインターフェース部７、フォーマッタ部８、イメージメモリ部９、コア部１０などからなる。
【００１７】
ファクシミリ部４は、電話回線を介して受信した圧縮画像データを伸長して、伸長された画像データをコア部１０へ転送し、また、コア部１０から転送された画像データを圧縮し、圧縮された画像データを、電話回線を介して送信する。ファクシミリ部４にはハードディスク１２が接続されており、受信した圧縮画像データを一時的に保存することができる。
【００１８】
ファイル部５には光磁気ディスクドライブユニット６が接続されており、ファイル部５は、コア部１０から転送された画像データを圧縮し、その圧縮画像データを、該圧縮画像データを検索するためのキーワードとともに、光磁気ディスクドライブユニット６にセットされた光磁気ディスクに記憶させる。また、ファイル部５は、コア部１０を介して転送されたキーワードに基づいて、光磁気ディスクに記憶されている圧縮画像データを検索し、検出された圧縮画像データを読み出して伸長し、伸長された画像データをコア部１０へ転送する。
【００１９】
コンピュータインターフェース部７は、サーバであるパーソナルコンピュータまたはワークステーション（以下「ＰＣ／ＷＳ」という）１１とコア部１０との間のインターフェースである。
【００２０】
フォーマッタ部８は、ＰＣ／ＷＳ１１から転送された画像を表すコードデータを、プリンタ部２で記録できる画像データ形式に展開するものであり、イメージメモリ部９は、ＰＣ／ＷＳ１１から転送されたデータを一時的に記憶するものである。
【００２１】
コア部１０については詳しく後述するが、コア部１０は、リーダ部１、ファクシミリ部４、ファイル部５、コンピュータインターフェース部７、フォーマッタ部８、イメージメモリ部９の相互間のデータの流れを制御するものである。
【００２２】
図２は、リーダ部１及びプリンタ部２の機械的構成を示す断面図である。
【００２３】
リーダ部１の原稿給送装置１０１は、複数頁からなる原稿を最終頁から順に１頁ずつプラテンガラス１０２上へ給送し、頁ごとの原稿の読み取りを終了後、プラテンガラス１０２上の原稿を排出するものである。原稿がプラテンガラス１  ０２上に搬送されると、ランプ１０３を点灯し、スキャナユニット１０４の移動を開始させて、原稿を露光走査する。この時の原稿からの反射光は、ミラー１０５、１０６、１０７及びレンズ１０８を介してＣＣＤイメージセンサ（以下「ＣＣＤ」という）１０９へ導かれる。このように露光走査された原稿の画像がＣＣＤ１０９によって読み取られ、その結果ＣＣＤ１０９から出力される画像データに対しては所定の画像処理が施される。その後、画像データは、プリンタ部２及び画像入出力制御部３のコア部１０へ転送される。
【００２４】
プリンタ部２のレーザドライバ２２１は、レーザ発光部２０１を駆動するものであり、リーダ部１から出力された画像データに応じたレーザ光をレーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始タイミングと同期したタイミングで、カセット２０４及びカセット２０５のいずれかから記録紙を給紙して転写部２０６へ搬送し、感光ドラム２０２に付着された現像剤を記録紙に転写する。現像剤が転写された記録紙は定着部２０７に搬送され、定着部２０７の熱と圧力により現像剤は記像紙に定着される。定着部２０７を通過した記録紙は排出ローラ２０８によって排出され、ソータ２２０は排出された記録紙をそれぞれのビンに収納して記録紙の仕分けを行う。なお、ソータ２２０は、仕分け処理が設定されていない場合は最上ビンに記録紙を収納する。また、両面記録が設定されている場合は、排出ローラ２０８のところまで搬送された記録紙は、排出ローラ２０８の回転方向の逆転によってフラッパ２０９に送られ、フラッパ２０９によって再給紙搬送路へ導かれる。なおまた、多重記録が設定されている場合は、記録紙が排出ローラ２０８まで搬送される前に、フラッパ２０９によって再給紙搬送路へ導かれる。再給紙搬送路へ導かれた記録紙は、上述したタイミングで転写部２０６へ給紙される。
【００２５】
図３は、リーダ部１の制御系の構成を示すブロック図である。
【００２６】
ＣＣＤ１０９から出力された画像データに対して、Ａ／Ｄ・ＳＨ部１１０でアナログ／デジタル変換が行われるとともに、シェーディング補正が行われる。Ａ／Ｄ・ＳＨ部１１０によって処理された画像データは、画像処理部１１１を介してプリンタ部２へ転送されるとともに、インターフェース部１１３を介して画像入出力制御部３のコア部１０へ転送される。
【００２７】
ＣＰＵ１１４は、操作部１１５で設定された設定内容に応じて画像処理部１１１及びインターフェース１１３を制御する。例えば、操作部１１５で、トリミング処理を行って複写を行う複写モードが設定されている場合は、画像処理部１１１にトリミング処理を行わせた後、得られた画像データをプリンタ部２へ転送させる。また、操作部１１５で、ファクシミリ送信モードが設定されている場合は、インターフェース１１３から画像データと設定されたモードに応じた制御コマンドとをコア部１０へ転送させる。このようなＣＰＵ１１４の制御プログラムはメモリ１１６に記憶されており，ＣＰＵ１１４はメモリ１１６を参照しながら制御を行う。また、メモリ１１６はＣＰＵ１１４の作業領域としても使われる。
【００２８】
図４は、コア部１０の内部構成を示すブロック図である。
【００２９】
リーダ部１から送られた画像データは、インターフェース１２２を介してデータ処理部１２１へ転送されるとともに、リーダ部１からの制御コマンドはインターフェース１２２を介してＣＰＵ１２３へ転送される。データ処理部１２１は画像の回転処理や変倍処理などの画像処理を行うものであり、リーダ部１からデータ処理部１２１へ転送された画像データは、リーダ部１からＣＰＵ１２３へ転送された制御コマンドに応じて、インターフェース１２０を介してファクシミリ部４、ファイル部５、コンピュータインターフェース部７へ転送される。
【００３０】
また、コンピュータインターフェース部７を介して入力された画像を表すコードデータは、インターフェース１２０を介してデータ処理部１２１に転送された後、フォーマッタ部８へ転送されて画像データに展開される。この画像データはデータ処理部１２１に転送された後、ファクシミリ部４やプリンタ部２へ転送される。
【００３１】
ファクシミリ部４からの画像データは、インターフェース１２０を介してデータ処理部１２１へ転送された後、プリンタ部２やファイル部５、コンピュータインターフェース部７へ転送される。また、ファイル部５からの画像データは、インターフェース１２０を介してデータ処理部１２１へ転送された後、プリンタ部２やファクシミリ部４、コンピュータインターフェース部７へ転送される。
【００３２】
ＣＰＵ１２３は、メモリ１２４に記憶されている制御プログラム及びリーダ部１から転送された制御コマンドに従って、上記のような制御を行う。また、メモリ１２４はＣＰＵ１２３の作業領域としても使われる。
【００３３】
このように、本画像処理装置は、コア部１０を中心にして、原稿画像の読み取り、画像のプリント、画像の送受信、画像の保存、ＰＣ／ＷＳ１１タからのデータの入出力などの機能を複合させた処理を行うことが可能である。
【００３４】
図５は、操作部１１５の構成を示す図である。
【００３５】
図５において、３００は出力（印刷）部数を入力するためのテンキー、３０１は出力動作を停止させるためのストップキー、３０２は出力動作を開始させるためのスタートキー、３０３はタッチセンサつきの液晶表示装置である。液晶表示装置３０３は、リスト表示部３０４、部数表示部３０５、両面指示ボタン３０６および片面指示ボタン３０７から構成される。リスト表示部３０４は、ＰＣ／ＷＳ１１（サーバ）に存在する印刷対象のファイルのリストを一覧表示するものであり、ユーザが選択したファイルが反転表示される。部数表示部３０５には、ユーザがテンキー３００を操作して入力した出力部数が表示される。両面指示ボタン３０６および片面指示ボタン３０７は、プリンタ部が両面印字可能な構成であるときに表示され、ユーザが両面指示ボタン３０６または片面指示ボタン３０７をクリックすることで、両面印字または片面印字を指定できる。図６は、プリンタ部が両面印字可能な構成ではないときの液晶表示装置３０３を含む操作部１１５の構成を示す図であり、両面指示ボタン３０６および片面指示ボタン３０７が表示されていない。
【００３６】
ユーザがスタートキー３０２を押すことにより、リスト表示部３０４に反転表示されているファイルが、部数表示部３０５に表示されている部数だけ、両面指示ボタン３０６および片面指示ボタン３０７のうちクリックされているボタンの印字方法によって、プリンタ部２で印字が行われる。
【００３７】
図７は、リーダ部１のＣＰＵ１１４で実行されるデータ出力処理の手順を示すフローチャートである。このデータ出力処理は、リーダ部１の操作部１１５から入力されたユーザ指示に従い、リーダ部１のＣＰＵ１１４が、ＰＣ／ＷＳ１１内のファイルを取得して、プリンタ部２に出力するための処理である。
【００３８】
ＣＰＵ１１４は、操作部１１５のスタートキー３０２が押下されると、図７に示すデータ出力処理の実行を開始する。
【００３９】
ＣＰＵ１１４は、ステップＳ４０１にて、リーダ部１に接続されているプリンタ部２に、両面印刷機能が備えられているか否かを判断する。この判断は、コンフィグレーション機能（環境設定機能）によりリーダ部１に設定されている内容をチェックすることにより行うようにしてもよいし、また、プリンタ部２との通信により得た情報から行うようにしてもよい。
【００４０】
プリンタ部２に両面印刷機能が備えられていると判断されたならばステップＳ４０２へ進み、一方、両面印刷機能が備えられていないと判断されたならばステップＳ４０５へ進む。
【００４１】
ステップＳ４０２では、リーダ部１のＣＰＵ１１４が、画像入出力制御部３のコア部１０およびコンピュータインターフェース部７を介して、ＰＣ／ＷＳ１１（サーバ）と通信し、出力可能なファイルのリストを取得し、リーダ部１の操作部１１５のリスト表示部３０４に表示する。このファイルリストを見たユーザが、印刷したいファイルを選択するとともに、印刷部数を部数表示部３０５に指定し、さらに、ここでは両面印刷機能が備えられているので、両面指示ボタン３０６および片面指示ボタン３０７が液晶表示装置３０３に表示されており、ユーザが両面印刷を行いたいときには両面指示ボタン３０６をクリックし、また片面印刷を行いたいときには片面指示ボタン３０７をクリックする。その後、ユーザによってスタートキー３０２が押されるのを待ち、押されるとステップＳ４０３へ進む。
【００４２】
ステップＳ４０３では、ＣＰＵ１１４がＰＣ／ＷＳ１１（サーバ）に対して、ファイルリストの中から選択されたファイルの送信を要求する。その要求に際して、両面指示ボタン３０６がクリックされているときは、ＰＣ／ＷＳ１１に両面データの送付を依頼し、片面指示ボタン３０７がクリックされているときは、ＰＣ／ＷＳ１１に片面データの送付を依頼する。この要求の結果、ＰＣ／ＷＳ１１から要求ファイルの両面データまたは片面データが送信されると、ＣＰＵ１１４はプリンタ部２に対して、その両面データまたは片面データを転送するとともに、部数表示部３０５に指定された印刷部数を伝える。
【００４３】
次のステップＳ４０４では、プリンタ部２への両面データまたは片面データの転送完了を待ち、完了したならば本データ出力処理を終了する。
【００４４】
ステップＳ４０５では、リーダ部１のＣＰＵ１１４が、画像入出力制御部３のコア部１０およびコンピュータインターフェース部７を介して、ＰＣ／ＷＳ１１（サーバ）と通信し、出力可能なファイルのリストを取得し、リーダ部１の操作部１１５のリスト表示部３０４に表示する。このファイルリストを見たユーザが、印刷したいファイルを選択するとともに、印刷部数を部数表示部３０５に指定する。なおここでは、両面印刷機能が備えられていないので、両面指示ボタン３０６および片面指示ボタン３０７は液晶表示装置３０３に表示されない。その後、ユーザによってスタートキー３０２が押されるのを待ち、押されるとステップＳ４０６へ進む。
【００４５】
ステップＳ４０６では、ＣＰＵ１１４がＰＣ／ＷＳ１１（サーバ）に対して、ファイルリストの中から選択されたファイルの送信を要求する。その要求に際して、片面データの送付が依頼される。この要求の結果、ＰＣ／ＷＳ１１から要求ファイルの片面データが送信されると、ＣＰＵ１１４はプリンタ部２に対して、その片面データを転送するとともに、部数表示部３０５に指定された印刷部数を伝える。
【００４６】
次のステップＳ４０４では、プリンタ部２への片面データの転送完了を待ち、完了したならば本データ出力処理を終了する。
【００４７】
なお、ステップＳ４０３またはステップＳ４０６を実行し、ステップＳ４０４で、プリンタ部２への両面データまたは片面データの転送完了を待っている間、ＰＣ／ＷＳ１１のコレート機能（部単位出力機能）を使用しても、またはプリンタ部２側のコレート機能を使用しても、リスト表示部３０４上には、選択されたファイルが反転表示され続ける。これにより、ユーザは、印刷中のファイルが何であるかを容易に認識することができる。  
【００４８】
以上述べたように、本実施の形態では、リーダ部１のＣＰＵ１１４が、プリンタ部２が両面印刷機能を備えているか否かを自動的に検出し、プリンタ部２が両面印刷機能を備えていれば、ユーザによる両面印刷の指示に従い、プリンタ部２に両面印刷機能を用いた印刷を行わせることができるので、プリンタ部に一律に片面印字を行わせていた従来装置に比べ、用紙コストの削減ができる。
【００４９】
［第２の実施の形態］
第１の実施の形態における画像処理装置は、リーダ部１、プリンタ部２及び画像入出力制御部３から構成されるが、リーダ部１に含まれる制御系を画像処理装置とは別体の構成にしてもよい。
【００５０】
図８は、リーダ部に含まれる制御系を画像処理装置とは別体に構成した第２の実施の形態のシステム構成を示す図である。
【００５１】
８０１は指示装置（第１の実施の形態におけるリーダ部１の制御系および画像入出力制御部３に相当）、８０２は画像形成装置（第１の実施の形態における制御系を除いたリーダ部１およびプリンタ部２に相当）、８０３はサーバ装置（第１の実施の形態におけるＰＣ／ＷＳ１１に相当）である。指示装置８０１、画像形成装置８０２およびサーバ装置８０３はケーブルで接続されてもよいし、また互いに離れて配置されて通信手段によって接続される形態であってもよい。
【００５２】
なお、指示装置８０１は、図５および図６で示す第１の実施の形態における操作部１１５と同じ構成を備えるとともに、新たに出力先を選択するための出力先選択ボタン（Ａ，Ｂ）８１１，８１２と、選択された出力先を表示するための出力先表示部８１３とを備える。すなわち、図８に示す構成のシステムでは、指示装置８０１に、異なる複数の画像形成装置を接続することが可能であり、その場合に、出力先を指定する必要があるので、こうした構成となる。
【００５３】
なおまた、指示装置８０１に複数の画像形成装置を接続した場合、画像形成装置が両面印刷機能を備えているか否かに応じて、指示装置８０１が自動的に最適なコレート（部単位出力）を選択し、画像形成装置に印字データを出力するようにしてもよい。
【００５４】
この場合、複数の画像形成装置から装置情報を収集する必要があるが、その方法としては、指示装置８０１を複数の画像形成装置に対してネットワーク接続を行い、ＭＩＢ（Management Information Base）情報から装置情報を取得する方法、出力先の物理的なＩＦポートや出力先のネットワークアドレスに対して、それに接続されている画像形成装置固有の定義ファイルを割り当て、印字データを出力する際に対応の定義ファイルを解析して装置情報を取得する方法、指示装置８０１と複数の画像形成装置とがセントロニクスインタフェースで接続されている場合に、所定の手順に従った双方向通信によって装置情報を取得する方法等が考えられる。
【００５５】
［他の実施の形態］
上記の第１の実施の形態では、両面印刷を行う場合、リーダ部１のＣＰＵ１１４がサーバ（ＰＣ／ＷＳ１１）に両面データの送付を要求し、サーバから送信された両面データをプリンタ部２に転送するようにしているが、これに代わって、両面印刷を行う場合に、リーダ部１のＣＰＵ１１４がサーバ（ＰＣ／ＷＳ１１）に片面データの送付を要求し、サーバから送信されたＰＤＬ（Page Description Language）データ内の片面指示部分を両面指示に置き換えて、プリンタ部２に転送するようにしてもよい。
【００５６】
また、上記の第２の実施の形態において、複数の画像形成装置を指示装置８０１に接続する構成を説明したが、こうした構成において、画像形成装置が両面印刷機能を備える否かに応じて、指示装置８０１が、画像形成装置に送るＰＤＬデータに両面印刷コマンドまたは片面印刷コマンドを含ませるようにしてもよい。
【００５７】
さらに、本発明の目的は、前述の各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００５８】
この場合、記憶媒体から読み出されたプログラムコード自体が前述した各実施の形態の機能を実現することになり、そのプログラムコードを記憶した記憶媒体は本発明を構成することになる。
【００５９】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００６０】
また、コンピュータが読み出したプログラムコードを実行することにより、上記の各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００６１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【００６２】
【図１】本発明に係る画像処理装置の第１の実施の形態の構成を示すブロック図である。
【図２】リーダ部及びプリンタ部の機械的構成を示す断面図である。
【図３】リーダ部の制御系の構成を示すブロック図である。
【図４】コア部の内部構成を示すブロック図である。
【図５】操作部の構成を示す図である。
【図６】プリンタ部が両面印字可能な構成ではないときの液晶表示装置を含む操作部の構成を示す図である。
【図７】リーダ部のＣＰＵで実行されるデータ出力処理の手順を示すフローチャートである。
【図８】リーダ部に含まれる制御系を画像処理装置とは別体に構成した第２の実施の形態のシステム構成を示す図である。
【符号の説明】
【００６３】
１…リーダ部（画像処理装置）
２…プリンタ部（画像形成装置）
３…画像入出力制御部
４…ファクシミリ部
５…ファイル部
７…コンピュータインターフェース部
８…フオーマッタ部
９…イメージメモリ部
１０…コア部
１１…ＰＣ／ＷＳ（サーバ）
１１４…ＣＰＵ（検出手段、取得手段、転送手段）
１１５…操作部
【図１】
2005128768.tif 000003
【図２】
2005128768.tif 000004
【図３】
2005128768.tif 000005
【図４】
2005128768.tif 000006
【図５】
2005128768.tif 000007
【図６】
2005128768.tif 000008
【図７】
2005128768.tif 000009
【図８】
2005128768.tif 000010